(57)【要約】【課題】利用者が自分のすきなときに衣類を出し入れでき、しかも保管中に衣類にかびが生えるのも防止できる新たな回転式衣類収納ボックスコンベヤを提供する。【解決手段】衣類を収納できる縦長の複数の収納箱１を互いに平行を保たせた状態で環状に連ね、水平面内で循環するチェーン３によって一つ一つの収納箱１を水平方向に移動させる。収納箱１ごとに利用者の衣類を区別することができるので、利用者が安心して衣類を預けることができる。縦長の収納箱１は環状に連ねられると共にチェーン３によって水平方向に移動されるので、空間の利用効率がよく、狭い空間であっても多数の収納箱を配置することができる。【選択図】図１
2008056485.tif 000002
【特許請求の範囲】
【請求項１】
衣類を収納できる縦長の複数の収納箱を、互いに平行を保たせた状態で無端状に連ね、水平面内で循環するチェーン、ベルト又は紐状部材によって一つ一つの収納箱を水平方向に移動させることを特徴とする回転式衣類収納ボックスコンベヤ。
【請求項２】
利用者が衣類を取り出すとき、収納箱を出し入れ位置まで自動的に移動させ、収納箱が出し入れ位置まで移動したときに停止させる制御装置を備えることを特徴とする請求項１に記載の回転式衣類収納ボックスコンベヤ。
【請求項３】
前記収納箱の少なくとも一部は防虫パネルからなることを特徴とする請求項１又は２に記載の回転式衣類収納ボックスコンベヤ。
【請求項４】
前記収納箱には、衣類を出し入れするための開口部が設けられると共に、この開口部が扉又はシャッタによって開閉されることを特徴とする請求項１ないし３のいずれかに記載の回転式衣類収納ボックスコンベヤ。
【請求項５】
前記収納箱の形状が、六角柱以上の多角柱形状又は円筒形状であることを特徴とする請求項１ないし４のいずれかに記載の回転式衣類収納ボックスコンベヤ。
【請求項６】
前記収納箱には、ハンガーを掛けるためのバーが設けられることを特徴とする請求項１ないし５のいずれかに記載の回転式衣類収納ボックスコンベヤ。
【請求項７】
請求項１ないし６のいずれかに記載の前記回転式衣類収納ボックスコンベヤをパネルで囲み、パネルの内部の湿気を空気調節装置で取り除くことを特徴とする衣類保管システム。
【発明の詳細な説明】
【技術分野】
【０００１】
本発明は、利用者の衣類を収納できると共に、衣類の出し入れも容易な回転式衣類収納ボックスコンベヤ及び衣類保管システムに関する。
【背景技術】
【０００２】
人は生活する上で、煮炊きをしたり、風呂に入ったり、呼吸をするので、居住空間には湿気が大量に発生する。今の居住空間、住宅事情を考えると、マンションなどの密閉された空間が増えているので、発生した湿気が室内にこもり易くなっている。
【０００３】
衣類を室内のロッカーやクローゼットに保管しておくと、衣類が湿気を吸収する。せっかくクリーニングしても、クリーニングした後に湿気を帯びたままにしておくと、衣類にかびが生えてしまう。クリーニングしていない汗が染みた衣類は、なおさらかびが生え易い。ロッカーやクローゼットに除湿剤を設置すると、かび対策に多少の効果はあるが、充分ではない。ブランドの高級スーツや皮製品であっても、かびが生えると台無しになる。衣類を大切にする人はかび対策に困っている。
【特許文献１】特開平８−２４４９２６号公報
【発明の開示】
【発明が解決しようとする課題】
【０００４】
かびが生えない衣類の保管方法としては、自分で衣類の収納場所を除湿するか、クリーニング店に保管してもらうかのどちらかがある。
【０００５】
しかし、自分で除湿するのは上述の居住空間を考えると困難である。クリーニング店に保管してもらおうとしても、狭いクリーニング店だと保管するスペースを持っていない。たとえ保管サービスを行うクリーニング店もあったとしても、営業時間は限られるし、シーズンオフなどの長期間に亘っての保管になる（フランチャイズ契約したクリーニング店がまとめて工場に保管することが多い）ので、必要なときに自由に出し入れすることができない。
【０００６】
ところでクリーニング店には、コンベヤ状のフックに衣類を剥き出した状態（埃よけのビニールには覆われている）で掛け、フックを回転させるコンベヤが設置されている（例えば特許文献１参照）。店主はコンベヤを作動させ、お客さんの衣類が近づいてきたらコンベヤを停止させ、衣類をお客さんの目の前で渡す。しかし、このコンベヤはクリーニング店が利用するものであり、不特定の利用者が利用することはできない。勿論、このコンベヤに衣類を預けておくこともできない。
【０００７】
そこで本発明は、利用者が自分のすきなときに衣類を出し入れでき、しかも保管中に衣類にかびが生えるのも防止できる新たな回転式衣類収納ボックスコンベヤ及び衣類保管システムを提供することを目的とする。
【課題を解決するための手段】
【０００８】
上記課題を解決するために、請求項１に記載の発明は、衣類を収納できる縦長の複数の収納箱を、互いに平行を保たせた状態で無端状に連ね、水平面内で循環するチェーン、ベルト又は紐状部材によって一つ一つの収納箱を水平方向に移動させることを特徴とする回転式衣類収納ボックスコンベヤである。
【０００９】
請求項２に記載の発明は、請求項１に記載の回転式衣類収納ボックスコンベヤにおいて、利用者が衣類を取り出すとき、収納箱を出し入れ位置まで自動的に移動させ、収納箱が出し入れ位置まで移動したときに停止させる制御装置を備えることを特徴とする。
【００１０】
請求項３に記載の発明は、請求項１又は２に記載の回転式衣類収納ボックスコンベヤにおいて、前記収納箱の少なくとも一部は防虫パネルからなることを特徴とする。
【００１１】
請求項４に記載の発明は、請求項１ないし３のいずれかに記載の回転式衣類収納ボックスコンベヤにおいて、前記収納箱には、衣類を出し入れするための開口部が設けられると共に、この開口部が扉又はシャッタによって開閉されることを特徴とする。
【００１２】
請求項５に記載の発明は、請求項１ないし４のいずれかに記載の回転式衣類収納ボックスコンベヤにおいて、前記収納箱の形状が、六角柱以上の多角柱形状又は円筒形状であることを特徴とする。
【００１３】
請求項６に記載の発明は、請求項１ないし５のいずれかに記載の回転式衣類収納ボックスコンベヤにおいて、前記収納箱には、ハンガーを掛けるためのバーが設けられることを特徴とする。
【００１４】
請求項７に記載の発明は、請求項１ないし６のいずれかに記載の前記回転式衣類収納ボックスコンベヤをパネルで囲み、パネルの内部の湿気を空気調節装置で取り除くことを特徴とする衣類保管システムである。
【発明の効果】
【００１５】
請求項１に記載の発明によれば、収納箱ごとに利用者の衣類を区別することができるので、利用者が安心して衣類を預けることができる。また収納箱は縦長なので、収納箱内でコートやスーツを吊り下げることができ、衣類がしわになることもなく、埃がかかることもない。さらに、縦長の収納箱は無端状に連ねられると共にチェーンなどによって水平方向に移動されるので、空間の利用効率がよく、狭い空間であっても多数の収納箱を配置することができる。
【００１６】
請求項２に記載の発明によれば、収納箱が水平方向に移動し、出し入れ位置で停止するので、衣類の出し入れが容易になり、利用者が自分の借りた収納箱を探し出すために歩き回る必要がなくなる。
【００１７】
請求項３に記載の発明によれば、収納した衣類に虫がつくのを防止することができる。またパネルにすることで、収納箱の内部に防虫剤を設置する必要がなくなるので、収納箱内のスペースを有効利用することができる。
【００１８】
請求項４に記載の発明によれば、収納箱から衣類を出し入れすることができ、また扉やシャッタに鍵をかけることで、収納箱のセキュリティを向上することができる。
【００１９】
請求項５に記載の発明によれば、無端状のベルトのコーナー部で隣接する収納箱同士が接触するのを防止することができる。
【００２０】
請求項６に記載の発明によれば、収納箱のバーに衣類を吊り下げることができる。
【００２１】
請求項７に記載の発明によれば、空気調節装置で除湿しているので、衣類にかびが生えるのを防止することができる。回転式衣類収納ボックスコンベヤをパネルで囲むことで、湿度の管理がし易くなる。
【発明を実施するための最良の形態】
【００２２】
以下、添付図面を参照して、本発明の実施形態を詳細に説明する。図１は、本発明の一実施形態における回転式衣類収納ボックスコンベヤを、パネルで囲んだ衣類保管システムを示す。この保管システムは、空きマンションの一室や駅の近くのビルに設置される。そして、例えば衣類保管システムの所有者と賃貸契約を結んだ不特定の利用者が、この衣類保管システムを利用する。
【００２３】
回転式衣類収納ボックスコンベヤは、壁パネルと天井パネルとからなるカバー６に囲まれる。壁パネル及び天井パネルは外気を遮断できる素材である。壁パネルには、利用者がカバー６の内部に出入りできるように扉６ａが設けられる。
【００２４】
カバー６の内部には空気調節装置９の室内機が設けられる。空気調節装置９はカバー６の内部の湿気を除去する。カバー６内の湿度はかびが生えて繁殖しない程度、例えば２５〜３０％に設定される。カバー６内に湿度計が置かれてもよい。カバー６内の温度は常温であれば特に制御しなくてもよい。
【００２５】
カバー６の内部には、衣類を収納できる複数の収納箱１が互いに平行を保つ状態で無端状に連ねられる。連ねられた複数の収納箱１は無端状に連なっていればよく、その平面形状が環状でも、トラック状でも、Ｌ字状であってもよい。スペースに応じて平面形状が決定される。収納箱１はコートやスーツを収納できるように縦長である。収納箱１がコーナー部に移動したとき隣接する収納箱１が接触しないように、収納箱１の形状は六角柱形状である。収納箱１の形状は六角以上の多角柱形状であればよく、円筒形状でもよい。
【００２６】
収納箱１の少なくとも一部は防虫パネル８からなる。防虫パネル８はパネルに防虫シートを張ったものでる。収納箱１には、衣類を出し入れするための開口部が設けられる。開口部は扉又はシャッタによって開閉される。また収納箱１には、ハンガーを掛けるためのパイプ状のバーが設けられる。
【００２７】
図２に示されるように、収納箱１の上下にはトラック状の一対のレール７が配置される。収納箱１の上面及び下面には心棒１ａが設けられ、この心棒１ａがレール７に案内される。収納箱１がレール７をスムーズに移動するように、レール７と心棒１ａの摺動部や回転部に直動ガイドや回転ベアリングを設けてもよい。収納箱１の上下にレール７を設けるのは収納箱１の横揺れを防止するためであるが、収納箱１の上側だけにレール７を設けてモノレールのように収納箱１を懸架してもよい。
【００２８】
収納箱１の心棒１ａは無端状のチェーン３に連結される。図１に示されるように、チェーン３はモータ４によって回転駆動され、水平面内を循環する。チェーン３は複数のローラ２に支持される。チェーンの左右の頂点部には中間のサブローラ２ａが設けられる。ローラ２及びサブローラ２ａによってチェーン３がトラック状に形づくられる。チェーン６以外にベルトや紐状部材を使用してもよい。
【００２９】
制御装置５は、立体駐車場や立体駐輪設備と同様にモータ４を制御する。すなわち、利用者が自分の借りた収納箱１の番号をカード操作やボタン操作により入力すると、その収納箱１を出し入れ位置まで自動的に移動させる。そして、収納箱１が出し入れ位置まで移動したときにモータ４を停止させる。利用者は出し入れ位置にいるので、借りた収納箱１が利用者の目の前に出てくる。この状態で利用者は、収納箱１のシャッタを開け、衣類を収納箱１の内部に保管したり、収納箱１から取り出したりする。次の利用者が制御装置５に収納箱１の番号を入力すると、制御装置５はモータ４を回転駆動し、再び収納箱１を水平方向に移動させ、該当の収納箱１を出し入れ位置まで移動させる。モータ４と制御装置５はメンテナンスのし易さを考慮してコンベヤ本体の下部に設置される。
【００３０】
なお、本発明の用途は衣類の保管収納であるが、湿度が一定に保たれ、外気の影響を受けないので、重要な美術品や書類や記録などを保管してもよい。着物などは畳んで収納箱１内の棚に積んでもよい。
【図面の簡単な説明】
【００３１】
【図１】回転式衣類収納ボックスコンベヤ及び衣類保管システムの斜視図
【図２】レールに案内される収納箱を示す斜視図
【符号の説明】
【００３２】
１…収納箱
２…ローラ（チェーン支持用）
２ａ…サブローラ
３…チェーン
４…モータ
５…制御装置
６…カバー
７…レール
８…防虫パネル
９…空気調節装置
【図１】
2008056485.tif 000003
【図２】
2008056485.tif 000004